(57)【特許請求の範囲】
【請求項１】
電池を電源として駆動し、外部環境の変化を検知して報知する、警報器であって、
電池電圧を測定し、前記測定した電池電圧の値によって動作モードを変更可能に構成され、
前記動作モードとして、前記電池電圧が十分な状態にある通常モードと、駆動不可能になる直前段階に前記電池電圧が低下したときに動作する低電圧モードと、前記電池電圧が異常に早く低下したときに動作する異常モードと、を備える、警報器。
【請求項２】
前記動作モードとして、前記通常モードまたは前記低電圧モードと異なる動作態様で電池電圧を測定する異常検出モードを備える、
請求項１に記載の警報器。
【請求項３】
前記異常検出モードでは、前記通常モードまたは前記低電圧モードよりも短い間隔で前記電池電圧を測定する、
請求項２に記載の警報器。
【請求項４】
前記測定した電池電圧の値が異常検出電圧値未満であるとき、前記異常検出モードに移行する、
請求項２または請求項３に記載の警報器。
【請求項５】
前回測定した前記電池電圧の値から直近で測定した前記電池電圧の値の低下量が異常検出電圧量以上であるとき、異常検出モードに移行する、
請求項２または請求項３に記載の警報器。
【発明の詳細な説明】
【技術分野】
【０００１】
本発明は、警報器の技術に関する。
【背景技術】
【０００２】
従来、ガスセンサまたは火災センサ等を備え、外部環境の変化を検知して報知する警報器に関する技術は公知となっている。
前記警報器には、電池を電源として駆動するものがある（特許文献１参照）。
前記警報器は、所定時間毎に自動的に電池電圧を測定し、測定した電池電圧の値によって動作モードを変更する。前記警報器は、動作モードとして、通常モードと、低電圧モードと、を備える。
通常モードは、警報器の通常の動作モードであり、警報器が駆動するにあたって電池電圧が十分な状態にある。
低電圧モードは、警報器が駆動不可能になる直前段階に電池電圧が低下したときの動作であり、通常モードと異なる態様で報知しまたは表示する。
【先行技術文献】
【特許文献】
【０００３】
【特許文献１】特開２０１４−１７４６５２号公報
【発明の概要】
【発明が解決しようとする課題】
【０００４】
しかしながら、前記警報器では、例えば、電源回路に不具合等が生じて、電池電圧が異常に早く低下する場合がある。
もっとも、前記警報器は、電池電圧が異常に早く低下したときの動作モードを備えない。つまり、前記警報器は、電池電圧が異常に早く低下したときであっても、通常モードまたは低電圧モード等で動作する。
このため、前記警報器では、電池電圧が異常に早く低下しているにも関わらず、電池電圧が異常に早く低下したことを知らせることが困難であった。
【０００５】
本発明は以上の如き状況に鑑みてなされたものであり、電池電圧が異常に早く低下したことを知らせることができる警報器を提供することを課題とする。
【課題を解決するための手段】
【０００６】
本発明の解決しようとする課題は以上の如くであり、次にこの課題を解決するための手段を説明する。
【０００７】
即ち、本願に開示する警報器においては、電池を電源として駆動し、外部環境の変化を検知して報知する、警報器であって、電池電圧を測定し、前記測定した電池電圧の値によって動作モードを変更可能に構成され、前記動作モードとして、前記電池電圧が十分な状態にある通常モードと、駆動不可能になる直前段階に前記電池電圧が低下したときに動作する低電圧モードと、前記電池電圧が異常に早く低下したときに動作する異常モードと、を備えるものである。
【０００８】
本願に開示する警報器においては、前記動作モードとして、前記通常モードまたは前記低電圧モードと異なる動作態様で電池電圧を測定する異常検出モードを備えるものである。
【０００９】
本願に開示する警報器においては、前記異常検出モードでは、前記通常モードまたは前記低電圧モードよりも短い間隔で前記電池電圧を測定するものである。
【００１０】
本願に開示する警報器においては、前記測定した電池電圧の値が異常検出電圧値未満であるとき、前記異常検出モードに移行するものである。
【００１１】
本願に開示する警報器においては、前回測定した前記電池電圧の値から直近で測定した前記電池電圧の値の低下量が異常検出電圧量以上であるとき、異常検出モードに移行するものである。
【発明の効果】
【００１２】
本発明の効果として、以下に示すような効果を奏する。
即ち、本発明によれば、電池電圧が異常に早く低下したことを知らせることができる。
【図面の簡単な説明】
【００１３】
【図１】本発明の実施形態に係る警報器を示すブロック図。
【図２】同じく警報器の電池電圧の低下状況を示す図。
【図３】同じく警報器の動作モードを変更する一連の動作を示すフロー図。
【図４】同じく警報器の動作モードを変更する一連の動作を示すフロー図。
【図５】同じく警報器の動作モードを変更する一連の動作を示すフロー図。
【図６】同じく警報器の動作モードを変更する一連の動作を示すフロー図。
【図７】同じく警報器の動作モードを変更する一連の動作を示すフロー図。
【図８】同じく警報器の動作モードを変更する一連の動作を示すフロー図。
【図９】同じく警報器の動作モードを変更する一連の動作を示すフロー図。
【図１０】同じく警報器の動作モードを変更する一連の動作を示すフロー図。
【図１１】同じく警報器の動作モードを変更する一連の動作を示すフロー図。
【図１２】同じく警報器の動作モードを変更する一連の動作を示すフロー図。
【発明を実施するための形態】
【００１４】
次に、図１から図７に記載の警報器１について説明する。
なお、図２において、曲線Ｘは、警報器１における通常状態の電池電圧が低下していく状態を示し、曲線Ｙは、警報器１における電源回路等の不具合によって電池電圧が早く低下していく状態を示す。
【００１５】
警報器１は、外部環境の変化を検知して報知する。
図１または図２に示すように、警報器１は、制御部２と、センサ部３と、報知部４と、ランプ部５と、操作部６と、表示部７と、を備える。
【００１６】
警報器１の制御部２は、警報器１（センサ部３、報知部４、ランプ部５、操作部６、および表示部７等）の各種の動作を制御する。制御部２は、記憶装置８と時計機能（例えばリアルタイムクロック）とを備える。
【００１７】
警報器１のセンサ部３は、外部環境の変化を検知する。センサ部３は、ＬＰガス、都市ガス、若しくは、一酸化炭素等の被検知ガスを検出してガス漏れ等を検知するガスセンサ、または、温度若しくは煙を検出して火災を検知する火災センサ等で構成される。
【００１８】
警報器１の報知部４は、音声の種類、音声パターン、音量、音圧、または、通信先等の報知態様を変更可能に構成される。報知部４は、例えば、警報音または警報メッセージ等の音声を発すること、および／または、外部（例えば、警備会社、建築物管理会社、消防署、または、携帯情報端末等）に通信することによって報知する。
報知部４は、センサ部３が外部環境の変化を検知したときに発報する。報知部４は、センサ部３が検出した値が予め定められた所定の値以上と制御部２が判断したときに発報する。
【００１９】
警報器１のランプ部５は、点灯パターン、点灯する色、または、明るさ等の点灯態様を変更可能に構成される。ランプ部５は、センサ部３が外部環境の変化を検知したとき等の異常時に点灯（点滅点灯）する。ランプ部５は、センサ部３が検出した値が予め定められた所定の値以上と制御部２が判断したときに、センサ部３が検出した値が予め定められた所定の値以上でないと制御部２が判断したときと異なる態様で点灯する。
【００２０】
警報器１の操作部６は、スイッチまたはタッチパネル等で構成され、操作することによって、警報器１の各種の設定または各種の動作等を行う。
【００２１】
警報器１の表示部７は、例えば、ディスクおよびコイル等を備え、所定の電流をコイルに流すことによってディスクを反転させる電磁反転素子で構成される。表示部７のディスクの表面と裏面とはそれぞれ異なる色（例えば、表面が黒色、裏面が緑色）に着色される。表示部７は、ディスクの表面または裏面を反転させて表示態様を変更可能に構成される。表示部７は、例えば、電源がＯＦＦのときにディスクの表面を表示し、電源がＯＮされたときにディスクの裏面を表示する。
【００２２】
警報器１は、電池１０（二次電池）を電源として駆動する。電池１０は、容量が例えば３Ｖのもので構成される。警報器１は、所定の動作電圧で駆動する。警報器１は、電池電圧が所定の動作電圧値（以下「停止電圧値ａ１」という）以下では、動作しない。警報器１は、例えば、電池電圧が概ね２V以下に低下したとき、駆動しなくなる。
【００２３】
警報器１は、予め設定された所定時間毎に自動的に電池電圧を測定する。警報器１は、測定した電池電圧の値に関する情報を、当該測定した時間に関する情報とともに、制御部２の記憶装置８に記憶する。報知部４は、電池電圧が低下したとき、または、電池電圧が異常に早く低下したとき等に、それぞれ異なる態様で報知する。ランプ部５は、電池電圧が低下したとき、または、電池電圧が異常に早く低下したときに、それぞれ異なる態様で点灯する。
警報器１は、測定した電池電圧の値によって動作モードを変更可能に構成される。警報器１は、動作モードとして、通常モードと、低電圧モードと、異常モードと、を備える。
【００２４】
警報器１は、電源がＯＮされて初期設定等がされた後、外部環境の変化を検知する動作を開始する。警報器１は、外部環境の変化を検知する動作を開始したとき、まず、通常モードで動作する。警報器１は、通常モードでは、電池電圧の異常の有無を検出する動作を行う。通常モードは、警報器１の通常の動作モードであり、警報器１が駆動するにあたって電池電圧が十分な状態にある。
【００２５】
警報器１は、電池電圧の値が、警報器１が駆動不可能になる（動作を停止する）直前段階の所定の電圧値（以下「低電圧値ａ２」という）以下に低下したときに、低電圧モードで動作する。警報器１では、低電圧値ａ２は、停止電圧値ａ１よりも高い値（例えば２．４Ｖ）に設定される。
【００２６】
警報器１は、測定した電池電圧が異常に早く低下したとき、異常モードで動作する。
【００２７】
次に、警報器１における電池電圧を測定して動作モードを変更する一連の動作について、図２または図３を用いて説明する。
【００２８】
図２または図３に示すように、警報器１では、まず、通常モードで動作する（ステップＳ１０１）。
通常モードでは、警報器１は、所定時間毎（例えば２８時間毎）に電池電圧を測定する。通常モードでは、報知部４は、電池電圧が低下した旨または通常モードである旨の報知を行わない。通常モードでは、ランプ部５は消灯している。表示部７はディスクの裏面を表示している。
通常モードで動作を開始した後、ステップＳ１０２に移行する。
【００２９】
次に、警報器１では、測定した電池電圧の値が、警報器１が動作するにあたって適切とされる所定の電圧値（以下「適切電圧値ａ３」という）未満か否かについて、制御部２が判断する（ステップＳ１０２）。
警報器１では、適切電圧値ａ３は、低電圧値ａ２よりも高い値（例えば２．７Ｖ）に設定される。
測定した電池電圧の値が所定の回数連続（例えば２回連続）で適切電圧値ａ３未満か否かについて、制御部２が判断する。測定した電池電圧の値が所定の回数連続で適切電圧値ａ３未満でないとき、測定した電池電圧の値が適切電圧値ａ３未満でない、と制御部２が判断する。
測定した電池電圧の値が適切電圧値ａ３未満である、と制御部２が判断した場合、ステップＳ１０３に移行する。
測定した電池電圧の値が適切電圧値ａ３未満でない、と制御部２が判断したとき、測定した電池電圧の値が適切電圧値ａ３未満か否かについて制御部２が判断するする動作（ステップＳ１０２）を繰返し行う。
なお、測定した電池電圧の値が１回で適切電圧値ａ３未満か否かについて、制御部２が判断する構成とすることもできる。このとき、測定した電池電圧の値が１回で適切電圧値ａ３未満でないとき、測定した電池電圧の値が適切電圧値ａ３未満でない、と制御部２が判断する。
【００３０】
次に、警報器１では、測定した電池電圧の値が低電圧値ａ２以下か否かについて、制御部２が判断する（ステップＳ１０３）。
このとき、測定した電池電圧の値が所定の回数連続（例えば５回連続）で低電圧値ａ２以下か否かについて、制御部２が判断する。測定した電池電圧の値が所定の回数連続で低電圧値ａ２以下でないとき、測定した電池電圧の値が低電圧値ａ２以下でない、と制御部２が判断する。
測定した電池電圧の値が低電圧値ａ２以下である、と制御部２が判断した場合、ステップＳ１０４に移行する。
測定した電池電圧の値が低電圧値ａ２以下でない、と制御部２が判断した場合、ステップＳ１１０に移行する。
【００３１】
次に、警報器１では、低電圧モードでの動作を開始する（ステップＳ１０４）。
低電圧モードでは、警報器１は、所定時間毎（例えば１４時間毎）に電池電圧を測定する。低電圧モードでは、警報器１は、通常モードよりも短い間隔で電池電圧を測定する。
低電圧モードでは、報知部４は、外部環境の変化を検知して報知するときの態様、または、異常モードのときの態様、と異なる態様で報知する。電圧モードでは、報知部４は、例えば３０秒毎に音声を発する。
低電圧モードでは、ランプ部５は、外部環境の変化を検知して報知するときの態様、通常モードのときの態様、または、異常モードのときの態様、と異なる態様で点灯する。低電圧モードでは、ランプ部５は、例えば、３０秒間隔で点滅点灯、または、通常モードから色を変更して点灯する。低電圧モードでは、表示部７はディスクの裏面を表示している。
低電圧モードでの動作を開始した後、ステップＳ１０５に移行する。
【００３２】
次に、警報器１では、低電圧モードにおいて、前回測定した電池電圧の値から直近で測定した電池電圧の値の低下量が、異常に多いとされる所定の電圧量（以下「異常電圧量」という）未満か否かについて、制御部２が判断する（ステップＳ１０５）。
警報器１では、異常電圧量は、例えば１０ｍＶに設定される。警報器１では、電池容量の１／５００以上の値に設定される。
前回測定した電池電圧の値から直近で測定した電池電圧の値の低下量が、１回でも異常電圧量未満でないとき、前回測定した電池電圧の値から直近で測定した電池電圧の値の低下量が異常電圧量未満でない、と制御部２が判断する。
前回測定した電池電圧の値から直近で測定した電池電圧の値の低下量が異常電圧量未満である、と制御部２が判断した場合、ステップＳ１０６に移行する。
前回測定した電池電圧の値から直近で測定した電池電圧の値の低下量が異常電圧量未満でない、と制御部２が判断した場合、ステップＳ１１５に移行する。
【００３３】
次に、警報器１では、低電圧モードにおいて、測定した電池電圧の値が異常電圧か否かについて、制御部２が判断する（ステップＳ１０６）。
このとき、警報器１では、前回測定した電池電圧の値から直近で測定した電池電圧の値の低下量が、異常に低下しているとされる所定の電圧量（以下「異常検出電圧量」）以上か否かについて、制御部２が判断し、異常検出電圧量以上であると判断したとき異常電圧であると制御部２が判断する。
警報器１では、異常検出電圧量は、異常電圧量よりも低い値（例えば５ｍＶ）に設定される。警報器１では、異常検出電圧量は、電池１０の容量の１／５００〜１／１，０００の値に設定される。
前回測定した電池電圧の値から直近で測定した電池電圧の値の低下量が、所定の回数連続（例えば５回連続）で異常検出電圧量以上であるとき、前回測定した電池電圧の値から直近で測定した電池電圧の値の低下量が異常検出電圧量以上である、と制御部２が判断し、異常電圧であると制御部２が判断する。
測定した電池電圧の値が異常電圧である、と制御部２が判断した場合、ステップＳ１１５に移行する。
測定した電池電圧の値が異常電圧でない、と制御部２が判断した場合、ステップＳ１０５に移行する。
【００３４】
次に、警報器１では、通常モードにおいて、前回測定した電池電圧の値から直近で測定した電池電圧の値の低下量が、異常電圧量未満か否かについて、制御部２が判断する（ステップＳ１１０）。
前回測定した電池電圧の値から直近で測定した電池電圧の値の低下量が異常電圧量未満である、と制御部２が判断した場合、ステップＳ１１１に移行する。
前回測定した電池電圧の値から直近で測定した電池電圧の値の低下量が異常電圧量未満でない、と制御部２が判断した場合、ステップＳ１１５に移行する。
【００３５】
次に、警報器１では、通常モードにおいて、測定した電池電圧の値が異常電圧か否かについて、制御部２が判断する（ステップＳ１１１）。
このとき、警報器１では、前回測定した電池電圧の値から直近で測定した電池電圧の値の低下量が、異常検出電圧量以上か否かについて、制御部２が判断し、異常検出電圧量以上であると判断したとき異常電圧であると制御部２が判断する。またこのとき、警報器１では、測定した電池電圧の値が、異常に低いとされる所定の電圧値（以下「異常検出電圧値ａ４」）未満か否かについて、制御部２が判断し、異常検出電圧値ａ４未満であると判断したとき異常電圧であると制御部２が判断する。
警報器１では、異常検出電圧値ａ４は、適切電圧値ａ３よりも低く、低電圧値ａ２よりも高い値（例えば２．６Ｖ）に設定される。警報器１では、異常検出電圧値ａ４は、電池１０の容量の８０％〜９０％の値に設定される。警報器１では、異常検出電圧値ａ４は、停止電圧値ａ１の１２０％〜１３５％の値に設定される。
前回測定した電池電圧の値から直近で測定した電池電圧の値の低下量が、所定の回数連続（例えば５回連続）で異常検出電圧量以上であるとき、前回測定した電池電圧の値から直近で測定した電池電圧の値の低下量が異常検出電圧量以上である、と制御部２が判断し、異常電圧であると制御部２が判断する。また、測定した電池電圧の値が、所定の回数連続（例えば５回連続）で異常検出電圧値ａ４未満であるとき、測定した電池電圧の値が異常検出電圧値ａ４未満である、と制御部２が判断し、異常電圧であると制御部２が判断する。
測定した電池電圧の値が異常電圧である、と制御部２が判断した場合、ステップＳ１１５に移行する。
測定した電池電圧の値が異常電圧でない、と制御部２が判断した場合、ステップＳ１０２に移行する。
【００３６】
次に、警報器１では、電池電圧が異常に早く低下したものとして、異常モードでの動作を開始する（ステップＳ１１５）。
異常モードでは、警報器１は、電池電圧を測定する動作を停止する。
異常モードでは、報知部４は、外部環境の変化を検知して報知するときの態様、または、低電圧モードのときの態様、と異なる態様で報知する。電圧モードでは、報知部４は、例えば５秒毎に音声を発する。
異常モードでは、ランプ部５は、外部環境の変化を検知して報知するときの態様、通常モードのときの態様、または、低電圧モードのときの態様、と異なる態様で点灯する。異常モードでは、ランプ部５は、例えば、５０秒間隔で点滅点灯する。異常モードでは、表示部７はディスクの裏面を表示している。
以上のようにして、警報器１では、電池電圧を測定して動作モードを変更する一連の動作を行う。
【００３７】
以上のように、通常モードにおいて、測定した電池電圧の値が適切電圧値ａ３未満でない（適切電圧値ａ３以上である）ときに、他の動作モード（低電圧モード、および、異常モード）に移行しない、警報器１では、警報器１が動作するにあたって適切な電池電圧であるときに他の動作モードに移行せず、測定した電池電圧の値が異常電圧か否かについて判断する動作行わない。
したがって、警報器１によれば、適切電圧値ａ３以上であるときの警報器１の消費電力を抑制することができる。
【００３８】
以上のように、低電圧モードでは通常モードよりも短い間隔で電池電圧を測定する、警報器１では、測定した電池電圧の値が低電圧値ａ２以下に低下したときに、通常モードよりも短い間隔で電池電圧を測定する。
したがって、警報器１によれば、低電圧モードのとき（測定した電池電圧の値が低電圧値ａ２以下に低下したとき）に、通常モードのときよりも速やかに電池電圧の異常の有無を検出することができる。
なお、警報器１は、低電圧モードでは通常モードよりも長い間隔で電池電圧を測定することもできる。このように構成することにより、電池電圧の値が低電圧値ａ２以下に低下したときの警報器１の消費電力を抑制することができる。
【００３９】
以上のように、低電圧モードでは報知部４は、外部環境の変化を検知して報知するときの態様、または、異常モードのときの態様、と異なる態様で報知する、警報器１では、測定した電池電圧の値が低電圧値ａ２以下に低下したときに、異常モードのときの態様等と異なる態様で報知部４が報知する。
したがって、警報器１によれば、報知部４による報知が異常モードのとき等のものと誤って認識されることを防止するとともに、電池電圧が低電圧値ａ２以下であることを確実に知らせることができる。
【００４０】
以上のように、低電圧モードではランプ部５は、外部環境の変化を検知して報知するときの態様、または、異常モードのときの態様、と異なる態様で点灯する、警報器１では、測定した電池電圧の値が低電圧値ａ２以下に低下したときに、異常モードのときの態様等のものと異なる態様でランプ部５が点灯する。
したがって、警報器１によれば、ランプ部５による点灯が異常モードのとき等のものと誤って認識されることを防止するとともに、電池電圧が低電圧値ａ２以下であることを確実に知らせることができる。
【００４１】
以上のように、電池電圧が異常に早く低下したときに異常モードで動作する、警報器１では、電池電圧が異常に低下したときに、例えば、通常モード等と異なる態様で報知部４が報知若しくはランプ部５が点灯し、また、電池電圧を測定する動作を停止する。
したがって、警報器１によれば、電池電圧が異常に低下したときの報知部４による報知若しくはランプ部５による点灯が通常モードのとき等のものと誤って認識されることを防止して、電池電圧が異常に早く低下したことを知らせることができる。また、警報器１によれば、電池電圧が異常に早く低下したときの警報器１の消費電力を抑制することができる。
【００４２】
以上のように、通常モードまたは低電圧モードにおいて、測定した電池電圧の値が所定の回数連続で異常電圧であるときに異常モードに移行する、警報器１では、測定した電池電圧の値が所定回数連続で異常電圧であるときに、異常モードでの動作を開始する。
したがって、警報器１によれば、電池電圧が異常に早く低下したことを確実に検出して、異常モードでの動作を開始することができる。
【００４３】
以上のように、通常モードまたは低電圧モードにおいて、前回測定した電池電圧の値から直近で測定した電池電圧の値の低下量が所定の回数連続で異常検出電圧量以上であるときに異常モードに移行する、警報器１では、前回測定した電池電圧の値から直近で測定した電池電圧の値の低下量が所定の回数連続で異常検出電圧量以上であるときに、異常モードでの動作を開始する。
したがって、警報器１によれば、電池電圧が異常に早く低下したことを確実に検出して、異常モードでの動作を開始することができる。
【００４４】
以上のように、通常モードまたは低電圧モードにおいて、前回測定した電池電圧の値から直近で測定した電池電圧の値の低下量が異常電圧量未満でない（異常電圧量以上である）ときに異常モードに移行する、警報器１では、前回測定した電池電圧の値から直近で測定した電池電圧の値の低下量が異常に多いときに、電池電圧を測定する動作を継続せずに異常モードでの動作を開始する。
したがって、警報器１によれば、前回測定した電池電圧の値から直近で測定した電池電圧の値の低下量が異常に多いときの、警報器１の消費電力を抑制することができる。
【００４５】
以上のように、異常モードでは報知部４は外部環境の変化を検知して報知するときの態様、または、低電圧モードのときの態様、と異なる態様で報知する、警報器１では、測定した電池電圧が異常に早く低下したとき（異常モードのとき）に、低電圧モードのときの態様等と異なる態様で報知部４が報知する。
したがって、警報器１によれば、報知部４による報知が低電圧モードのとき等のものと誤って認識されることを防止するとともに、電池電圧が異常に早く低下した状態であることを確実に知らせることができる。
【００４６】
以上のように、異常モードではランプ部５は外部環境の変化を検知して報知するときの態様、または、低電圧モードのときの態様、と異なる態様で点灯する、警報器１では、測定した電池電圧が異常に低下したとき（異常モードのとき）に、低電圧モードのときの態様等と異なる態様でランプ部５が点灯する。
したがって、警報器１によれば、ランプ部５による点灯が低電圧モードのとき等のものと誤って認識されることを防止するとともに、電池電圧が異常に早く低下した状態であることを確実に知らせることができる。
【００４７】
警報器１は、通常モードまたは低電圧モードにおいて、電池電圧を測定する動作態様を、測定した電池電圧の値によって異なるように構成することもできる。警報器１は、通常モードまたは低電圧モードにおいて、測定した電池電圧の値が異常電圧か否かについて制御部２が判断するとき（ステップＳ１０６またはステップＳ１１１）、電池電圧を測定する間隔、または、異常電圧であると判断されるときの電池電圧を測定する回数（連続回数）について、測定した電池電圧の値によって異なるように構成することもできる。
例えば、ステップＳ１１１において、測定した電池電圧の値が比較的高いときには、電池電圧を測定する間隔を比較的長くし、また、異常電圧であると判断されるときの電池電圧を測定する回数を比較的多くする。このとき、測定した電池電圧の値が例えば２．６Ｖ以上２．７Ｖ未満のときには電池電圧を測定する間隔を例えば３時間毎等にし、または、測定した電池電圧の値が７回連続で異常電圧であるときに異常電圧であると制御部２が判断する。
また例えば、ステップＳ１１１において、測定した電池電圧の値が比較的低いときには、電池電圧を測定する間隔を比較的短くし、また、異常電圧であると判断されるときの電池電圧を測定する回数を比較的少なくする。このとき、測定した電池電圧の値が例えば２．４Ｖ以上２．６Ｖ未満のときには電池電圧を測定する間隔を例えば３０分毎等にし、または、測定した電池電圧の値が３回連続で異常電圧であるときに異常電圧であると制御部２が判断する。
このように構成することによって、通常モードまたは低電圧モードにおいて、測定した電池電圧の値によって、速やかに異常モードに移行させ、または、電池電圧が異常に早く低下したことを確実に検出し、または、電池電圧を測定するときの消費電力を抑制することができる。
【００４８】
警報器１では、報知部４は、外部環境の変化を検知したとき、低電圧モードのとき、または、異常モードのときに、音声を発することに代えて、または、音声と合わせて、外部環境の変化を検知したことに関する情報、低電圧モードで動作を開始したことに関する情報、または、異常モードで動作を開始したことに関する情報を、外部に通信することによって報知する構成とすることもできる。
このように構成することにより、低電圧モードで動作を開始したこと等について、外部（警報器１が設置される場所以外の場所）に知らせることができる。
【００４９】
警報器１は、操作部６を操作することによって、外部環境の変化を検知したとき、低電圧モードのとき、または、異常モードのときに、報知部４が報知するか否か、または、報知部４の報知態様（例えば、報知部４が外部へ通信するときの通信先）等について設定可能に構成することもできる。
このように構成することにより、操作部６の簡易な操作で報知部４による報知が行われない状態とすることができ、または、報知部４による報知態様を所望のものにすることができる。
【００５０】
警報器１は、操作部６を操作することによって、外部環境の変化を検知したとき、低電圧モードのとき、または、異常モードのときに、ランプ部５が点灯するか否か、または、ランプ部５の点灯態様等について設定可能に構成することもできる。また、警報器１は、操作部６を操作することによって、外部環境の変化を検知したとき、低電圧モードのとき、または、異常モードのときに、表示部７の表示態様等について設定可能に構成することもできる。
このように構成することにより、操作部６の簡易な操作でランプ部５による点灯が行われない状態とすることができ、または、ランプ部５による点灯態様または表示部７による表示態様を所望のものにすることができる。
【００５１】
警報器１は、低電圧モードのとき、または、異常モードのときに、操作部６を操作することによって、低電圧モード等から通常モードに移行する構成とすることもできる。
このように構成することにより、通常モードではない状態（低電圧モード等の状態）に気付いた人が操作部６を操作することによって、電池交換やメンテナンス作業等を通常モードの状態で行うことができる。
【００５２】
警報器１では、報知部４は、各動作モードで報知動作を開始した後動作モードが変更されるまで、報知していた態様での報知動作を継続する。警報器１は、操作部６を操作することによって、報知部４が報知する動作を停止する構成とすることもできる。
このように構成することにより、通常モードではない状態（低電圧モード等の状態）に気付いた人が操作部６を操作することによって、電池交換やメンテナンス作業等を報知部４が報知する動作を停止した状態で行うことができる。
【００５３】
警報器１は、操作部６を操作することによって、適切電圧値ａ３、低電圧値ａ２、異常電圧量、異常検出電圧量、または、異常検出電圧値ａ４、の値について設定可能に構成することもできる。
このように構成することにより、操作部６の簡易な操作で、適切電圧値ａ３、低電圧値ａ２、異常電圧量、異常検出電圧量、または、異常検出電圧値ａ４の値を所望のものにすることができる。
【００５４】
警報器１は、操作部６を操作することによって、電池電圧を測定する動作態様（低電圧モードに移行するとき、または、異常電圧であると制御部２が判断するときの電池電圧の値をカウントする回数、または、電池電圧を測定する間隔等）を変更可能に構成することもできる。
このように構成することにより、操作部６の簡易な操作で電池電圧を測定する動作態様を所望のものにすることができる。
【００５５】
警報器１は、自動的に電池電圧を測定することに代えて操作部６を操作（例えば、定期点検時に作業者が操作部６を操作）することによって電池電圧を測定する構成とすること、または、自動的に電池電圧を測定することと合わせて操作部６を操作することによって電池電圧を測定する構成とすることもできる。
例えば、警報器１は、操作部６を操作することによって電池電圧を測定し、測定した電池電圧に異常電圧の可能性がある場合には、自動的に電池電圧の検出を行う旨の音声（例えば「異常電圧の可能性があるので確認します。」）を報知部４が発し、自動的に電池電圧の測定を開始する。
また例えば、警報器１は、操作部６を操作することによって電池電圧を測定し、測定した電池電圧に異常電圧の可能性がある場合には、引続き操作部６を操作することによって電池電圧の検出を行わせる旨の音声（例えば「異常電圧の可能性があるので確認してください。」）を発し、作業者に引続き電池電圧を測定させる。
また、報知部４は、電池電圧の測定直後（操作部が操作された直後）、または、次回電池電圧を測定した直後等に、電池電圧の測定結果を音声で発する構成とすることもできる。
【００５６】
図４に示すように、警報器１では、測定した電池電圧の値が適切電圧値ａ３未満か否かについて制御部２が判断する動作（ステップＳ１０２）を含まない構成とすることもできる。このような構成では、ステップＳ１０１において通常モードで動作を開始した後、ステップＳ１０３に移行する。このように構成することにより、より簡易な制御で動作モードを変更する動作を行うことができる。
【００５７】
図５に示すように、警報器１では、通常モードまたは低電圧モードにおいて、前回測定した電池電圧の値から直近で測定した電池電圧の値の低下量が異常電圧量未満か否かについて、制御部２が判断する動作（ステップＳ１０５、ステップＳ１１０）を含まない構成とすることもできる。このような構成では、ステップＳ１０４において低電圧モードでの動作を開始した後ステップＳ１０６に移行し、ステップＳ１０３において測定した電圧値が低電圧値ａ２以下でないと制御部２が判断した後ステップＳ１１１に移行する。このように構成することにより、より簡易な制御で動作モードを変更する動作を行うことができる。
【００５８】
図６に示すように、警報器１では、低電圧モードにおいて、電池電圧を測定する動作（ステップＳ１０５、ステップＳ１０６）を含まない構成とすることもできる。このような構成では、ステップＳ１０４において低電圧モードでの動作を開始した後、電池電圧を測定する動作を行わずに低電圧モードでの報知部４による報知動作またはランプ部５による点灯動作が継続される。このように構成することにより、より簡易な制御で動作モードを変更する動作を行うことができ、または、電池電圧の値が低電圧値ａ２以下に低下したときの警報器１の消費電力を抑制することができる。
またこのとき、ステップＳ１０４において低電圧モードでの動作を開始した後、電池電圧を測定する動作を行わず、報知部４による報知動作またはランプ部５による点灯動作も行わない構成とすることもできる。このように構成することにより、電池電圧の値が低電圧値ａ２以下に低下したときの警報器１の消費電力をさらに抑制することができる。
またこのとき、警報器１は、低電圧モードでは、自動的に電池電圧の測定を行わないが、操作部６を操作することによって電池電圧を測定する構成とすることもできる。
【００５９】
図２または図７に示すように、警報器１では、電池電圧の値が、停止電圧ａ１の直近の所定の電圧値（以下、「終止電圧値ａ５」という）以下に低下したときに、動作を停止する構成とすることもできる。警報器１では、終止電圧値ａ５は、低電圧値ａ２よりも低く停止電圧値ａ１よりも高い値（例えば、２．１Ｖ）に設定される。
このように構成される警報器１では、ステップＳ１０３において、測定した電池電圧の値が低電圧値ａ２以下である、と制御部２が判断した場合、ステップＳ１１６に移行する。そして、測定した電池電圧の値が終止電圧値ａ５以下か否かについて、制御部２が判断する（ステップＳ１１６）。このとき、測定した電池電圧の値が所定の回数連続（例えば５回連続）で終止電圧値ａ５以下か否かについて、制御部２が判断する。測定した電池電圧の値が所定の回数連続で終止電圧値ａ５以下でないとき、測定した電池電圧の値が終止電圧値ａ５以下でない、と制御部２が判断する。
測定した電池電圧の値が終止電圧値ａ５以下である、と制御部２が判断した場合、ステップＳ１１７に移行する。
測定した電池電圧の値が終止電圧値ａ５以下でない、と制御部２が判断した場合、ステップＳ１０４に移行する。
次に、警報器１では、その動作を停止する（ステップＳ１１７）。このとき、表示部７は、電源がＯＦＦされたものとしてディスクの表面を表示する。警報器１の動作の停止とは、例えば、電池電圧を測定する動作の停止、センサ部３の外部環境の変化を検知する動作の停止、報知部４による報知動作の停止、ランプ部５の点灯動作の停止、または、表示部７（表示部７のディスクの表面を表示）等のうち、少なくとも二個の動作が停止した状態を示す。警報器１では、前記少なくとも二個の動作が停止した状態について、予め設定される構成とすることもでき、または、操作部６を操作することによって設定可能に構成することもできる。
【００６０】
警報器１は、操作部６を操作することによって、測定した電池電圧の値が適切電圧値ａ３未満か否かについて制御部２が判断する動作（ステップＳ１０２）を行わない、通常モード等において前回測定した電池電圧の値から直近で測定した電池電圧の値の低下量が異常電圧量未満か否かについて制御部２が判断する動作（ステップＳ１０５、ステップＳ１１０）を行わない、または、低電圧モードにおいて電池電圧を測定する動作（ステップＳ１０５、ステップＳ１０６）を行わない、または、測定した電池電圧の値が終止電圧値ａ５以下か否かについて制御部２が判断する動作（ステップＳ１１６）を行わない、等について設定可能に構成することもできる。このように構成することにより、操作部６の簡易な操作で、警報器１の電池電圧を測定する動作態様等を所望のものにすることができる。
【００６１】
警報器１は、低電圧モードまたは異常モードにおいて、電源がＯＦＦされたものとして表示部７のディスクの表面を表示する構成とすることもできる。
表示部７は、ランプ部材で構成されて、例えば、電源がＯＦＦのときと電源がＯＮのときとで、それぞれ異なる態様で点灯するように構成することもできる。
警報器１は、表示部７を備えない構成とすることもできる。このとき、ランプ部５は、低電圧モードまたは異常モードにおける点灯態様と異なる態様で、電源がＯＮされたときに点灯（例えば、連続点灯）する構成とすることもできる。
【００６２】
次に、図１から図２および図８ら図１２に記載の警報器１について説明する。
なお、図１から図２および図８から図１２に記載の警報器１についての説明は、図１から図７に記載の警報器１と同様の構成の部分については適宜省略し、図１から図７に記載の警報器１の構成と異なる部分を中心に説明する。
【００６３】
図１または図２に示すように、警報器１は、制御部２と、センサ部３と、報知部４と、ランプ部５と、操作部６と、表示部７と、を備える。
【００６４】
警報器１は、測定した電池電圧の値によって動作モードを変更可能に構成される。警報器１は、動作モードとして、通常モードと、低電圧モードと、異常検出モードと、異常モードと、を備える。
警報器１は、異常検出モードでは、通常モードまたは低電圧モードと異なる動作態様で電池電圧の異常の有無を検出する動作を行う。警報器１は、異常検出モードでは、電池電圧に異常があるおそれがあるものとして、通常モードまたは低電圧モードのときよりも速やかに電池電圧の異常の有無を検出する動作を行う。
【００６５】
次に、警報器１における電池電圧を測定して動作モードを変更する一連の動作について、図２または図８を用いて説明する。
【００６６】
図２または図８に示すように、警報器１では、まず、通常モードで動作する（ステップＳ２０１）。
通常モードでは、警報器１は、所定時間毎（例えば２８時間毎）に電池電圧を測定する。通常モードでは、報知部４は、電池電圧が低下した旨または通常モードである旨の報知を行わない。通常モードでは、ランプ部５は消灯している。表示部７はディスクの裏面を表示している。
通常モードで動作を開始した後、ステップＳ２０２に移行する。
【００６７】
次に、警報器１では、測定した電池電圧の値が適切電圧値ａ３未満か否かについて、制御部２が判断する（ステップＳ２０２）。
測定した電池電圧の値が所定の回数連続（例えば２回連続）で適切電圧値ａ３未満か否かについて、制御部２が判断する。測定した電池電圧の値が所定の回数連続で適切電圧値ａ３未満でないとき、測定した電池電圧の値が適切電圧値ａ３未満でない、と制御部２が判断する。
測定した電池電圧の値が適切電圧値ａ３未満である、と制御部２が判断した場合、ステップＳ２０３に移行する。
測定した電池電圧の値が適切電圧値ａ３未満でない、と制御部２が判断したとき、測定した電池電圧の値が適切電圧値ａ３未満か否かについて制御部２が判断するする動作（ステップＳ２０２）を繰返し行う。
なお、測定した電池電圧の値が１回で適切電圧値ａ３未満か否かについて、制御部２が判断する構成とすることもできる。このとき、測定した電池電圧の値が１回で適切電圧値ａ３未満でないとき、測定した電池電圧の値が適切電圧値ａ３未満でない、と制御部２が判断する。
【００６８】
次に、警報器１では、測定した電池電圧の値が低電圧値ａ２以下か否かについて、制御部２が判断する（ステップＳ２０３）。
このとき、測定した電池電圧の値が所定の回数連続（例えば５回連続）で低電圧値ａ２以下か否かについて、制御部２が判断する。測定した電池電圧の値が所定の回数連続で低電圧値ａ２以下でないとき、測定した電池電圧の値が低電圧値ａ２以下でない、と制御部２が判断する。
測定した電池電圧の値が低電圧値ａ２以下である、と制御部２が判断した場合、ステップＳ２０４に移行する。
測定した電池電圧の値が低電圧値ａ２以下でない、と制御部２が判断した場合、ステップＳ２１０に移行する。
【００６９】
次に、警報器１では、低電圧モードでの動作を開始する（ステップＳ２０４）。
低電圧モードでは、警報器１は、所定時間毎（例えば５０時間毎）に電池電圧を測定する。低電圧モードでは、警報器１は、通常モードよりも長い間隔で電池電圧を測定する。
低電圧モードでは、報知部４は、外部環境の変化を検知して報知するときの態様、異常検出モードのときの態様、または、異常モードのときの態様、と異なる態様で報知する。電圧モードでは、報知部４は、例えば３０秒毎に音声を発する。
低電圧モードでは、ランプ部５は、外部環境の変化を検知して報知するときの態様、通常モードのときの態様、異常検出モードのときの態様、または、異常モードのときの態様、と異なる態様で点灯する。低電圧モードでは、ランプ部５は、例えば３０秒間隔で点滅点灯、または、通常モードから色を変更して点灯する。低電圧モードでは、表示部７はディスクの裏面を表示している。
低電圧モードでの動作を開始した後、ステップＳ２０５に移行する。
【００７０】
次に、警報器１では、低電圧モードにおいて、前回測定した電池電圧の値から直近で測定した電池電圧の値の低下量が異常電圧量未満か否かについて、制御部２が判断する（ステップＳ２０５）。
警報器１では、異常電圧量は、例えば１０ｍＶに設定される。
前回測定した電池電圧の値から直近で測定した電池電圧の値の低下量が、１回でも異常電圧量未満でないとき、前回測定した電池電圧の値から直近で測定した電池電圧の値の低下量が異常電圧量未満でない、と制御部２が判断する。
前回測定した電池電圧の値から直近で測定した電池電圧の値の低下量が異常電圧量未満である、と制御部２が判断した場合、ステップＳ２０６に移行する。
前回測定した電池電圧の値から直近で測定した電池電圧の値の低下量が異常電圧量未満でない、と制御部２が判断した場合、ステップＳ２１５に移行する。
【００７１】
次に、警報器１では、低電圧モードにおいて、測定した電池電圧の値が異常電圧か否かについて、制御部２が判断する（ステップＳ２０６）。
このとき、警報器１では、前回測定した電池電圧の値から直近で測定した電池電圧の値の低下量が異常検出電圧量以上か否かについて、制御部２が判断し、異常検出電圧量以上であると判断したとき異常電圧であると制御部２が判断する。
警報器１では、異常検出電圧量は、異常電圧量よりも低い値（例えば５ｍＶ）に設定される。
前回測定した電池電圧の値から直近で測定した電池電圧の値の低下量が、１回でも異常検出電圧量以上であるとき、前回測定した電池電圧の値から直近で測定した電池電圧の値の低下量が異常検出電圧量以上である、と制御部２が判断し、異常電圧であると制御部２が判断する。
測定した電池電圧の値が異常電圧である、と制御部２が判断した場合、ステップＳ２０７に移行する。
測定した電池電圧の値が異常電圧でない、と制御部２が判断した場合、ステップＳ２０５に移行する。
なお、前回測定した電池電圧の値から直近で測定した電池電圧の値の低下量が所定の回数連続（例えば２回連続）で異常検出電圧量以上か否かについて、制御部２が判断する構成とすることもできる。このとき、前回測定した電池電圧の値から直近で測定した電池電圧の値の低下量が、所定の回数連続で異常検出電圧量以上であるとき、前回測定した電池電圧の値から直近で測定した電池電圧の値の低下量が異常検出電圧量以上である、と制御部２が判断し、異常電圧であると制御部２が判断する。
【００７２】
次に、警報器１では、電池電圧に異常があるおそれがあるものとして、異常検出モードでの動作を開始する（ステップＳ２０７）。
異常検出モードでは、警報器１は、通常モードまたは低電圧モードよりも短い間隔で電池電圧を測定する。警報器１は、所定時間毎（例えば１時間毎）に電池電圧を測定する。
異常検出モードでは、報知部４は、外部環境の変化を検知して報知するときの態様、低電圧モードのときの態様、または、異常モードのときの態様、と異なる態様で報知する。電圧モードでは、報知部４は、例えば１５秒毎に音声を発する。
異常検出モードでは、ランプ部５は、外部環境の変化を検知して報知するときの態様、通常モードのときの態様、低電圧モードのときの態様、または、異常モードのときの態様、と異なる態様で点灯する。異常検出モードでは、ランプ部５は、例えば１５秒間隔で点滅点灯、または、通常モード若しくは低電圧モードから色を変更して点灯する。
異常検出モードでの動作を開始した後、ステップＳ２０８に移行する。
【００７３】
次に、警報器１では、異常検出モードにおいて、前回測定した電池電圧の値から直近で測定した電池電圧の値の低下量が、異常電圧量未満か否かについて、制御部２が判断する（ステップＳ２０８）。
前回測定した電池電圧の値から直近で測定した電池電圧の値の低下量が異常電圧量未満である、と制御部２が判断した場合、ステップＳ２０９に移行する。
前回測定した電池電圧の値から直近で測定した電池電圧の値の低下量が異常電圧量未満でない、と制御部２が判断した場合、ステップＳ２１５に移行する。
【００７４】
次に、警報器１では、異常検出モードにおいて、測定した電池電圧の値が異常電圧か否かについて、制御部２が判断する（ステップＳ２０９）。
このとき、警報器１では、前回測定した電池電圧の値から直近で測定した電池電圧の値の低下量が、異常検出電圧量以上か否かについて、制御部２が判断し、異常検出電圧量以上であると判断したとき異常電圧であると制御部２が判断する。
前回測定した電池電圧の値から直近で測定した電池電圧の値の低下量が、所定の回数連続（例えば５回連続）で異常検出電圧量以上であるとき、前回測定した電池電圧の値から直近で測定した電池電圧の値の低下量が異常検出電圧量以上である、と制御部２が判断し、異常電圧であると制御部２が判断する。
異常検出モードでは、通常モードまたは低電圧モードにおいて電池電圧の値が異常電圧か否かについて制御部２が判断する動作（ステップＳ２０６またはステップＳ２１１）のときよりも多い回数連続で、前回測定した電池電圧の値から直近で測定した電池電圧の値の低下量が異常検出電圧量以上であるときに、前回測定した電池電圧の値から直近で測定した電池電圧の値の低下量が異常検出電圧量以上である、と制御部２が判断するように設定される。
測定した電池電圧の値が異常電圧である、と制御部２が判断した場合、ステップＳ２１５に移行する。
測定した電池電圧の値が異常電圧でない、と制御部２が判断した場合、ステップＳ２０４に移行する。
【００７５】
次に、警報器１では、通常モードにおいて、前回測定した電池電圧の値から直近で測定した電池電圧の値の低下量が、異常電圧量未満か否かについて、制御部２が判断する（ステップＳ２１０）。
前回測定した電池電圧の値から直近で測定した電池電圧の値の低下量が異常電圧量未満である、と制御部２が判断した場合、ステップＳ２１１に移行する。
前回測定した電池電圧の値から直近で測定した電池電圧の値の低下量が異常電圧量未満でない、と制御部２が判断した場合、ステップＳ２１５に移行する。
【００７６】
次に、警報器１では、通常モードにおいて、測定した電池電圧の値が異常電圧か否かについて、制御部２が判断する（ステップＳ２１１）。
このとき、警報器１では、前回測定した電池電圧の値から直近で測定した電池電圧の値の低下量が、異常検出電圧量以上か否かについて、制御部２が判断し、異常検出電圧量以上であると判断したとき異常電圧であると制御部２が判断する。またこのとき、警報器１では、測定した電池電圧の値が異常検出電圧値ａ４未満か否かについて、制御部２が判断し、異常検出電圧値ａ４未満であると判断したとき異常電圧であると制御部２が判断する。
前回測定した電池電圧の値から直近で測定した電池電圧の値の低下量が、１回でも異常検出電圧量以上であるとき、前回測定した電池電圧の値から直近で測定した電池電圧の値の低下量が異常検出電圧量以上である、と制御部２が判断し、異常電圧であると制御部２が判断する。また、測定した電池電圧の値が、１回でも異常検出電圧値ａ４未満であるとき、測定した電池電圧の値が異常検出電圧値ａ４未満である、と制御部２が判断し、異常電圧であると制御部２が判断する。
測定した電池電圧の値が異常電圧である、と制御部２が判断した場合、ステップＳ２１２に移行する。
測定した電池電圧の値が異常電圧でない、と制御部２が判断した場合、ステップＳ２０２に移行する。
なお、前回測定した電池電圧の値から直近で測定した電池電圧の値の低下量が所定の回数連続（例えば２回連続）で異常検出電圧量以上か否かについて、制御部２が判断する構成とすることもできる。このとき、前回測定した電池電圧の値から直近で測定した電池電圧の値の低下量が、所定の回数連続で異常検出電圧量以上であるとき、前回測定した電池電圧の値から直近で測定した電池電圧の値の低下量が異常検出電圧量以上である、と制御部２が判断し、異常電圧であると制御部２が判断する。また、測定した電池電圧の値が所定の回数連続（例えば２回連続）で異常検出電圧値ａ４未満か否かについて、制御部２が判断する構成とすることもできる。このとき、測定した電池電圧の値が所定の回数連続で異常検出電圧値ａ４未満であるとき、測定した電池電圧の値が異常検出電圧量未満である、と制御部２が判断し、異常電圧であると制御部２が判断する。
【００７７】
次に、警報器１では、電池電圧に異常があるおそれがあるものとして、異常検出モードでの動作を開始する（ステップＳ２１２）。
異常検出モードでの動作を開始した後、ステップＳ２１３に移行する。
【００７８】
次に、警報器１では、異常検出モードにおいて、前回測定した電池電圧の値から直近で測定した電池電圧の値の低下量が、異常電圧量未満か否かについて、制御部２が判断する（ステップＳ２１３）。
前回測定した電池電圧の値から直近で測定した電池電圧の値の低下量が異常電圧量未満である、と制御部２が判断した場合、ステップＳ２１４に移行する。
前回測定した電池電圧の値から直近で測定した電池電圧の値の低下量が異常電圧量未満でない、と制御部２が判断した場合、ステップＳ２１５に移行する。
【００７９】
次に、警報器１では、異常検出モードにおいて、測定した電池電圧の値が異常電圧か否かについて、制御部２が判断する（ステップＳ２１４）。
このとき、警報器１では、前回測定した電池電圧の値から直近で測定した電池電圧の値の低下量が、異常検出電圧量以上か否かについて、制御部２が判断し、異常検出電圧量以上であると判断したとき異常電圧であると制御部２が判断する。
前回測定した電池電圧の値から直近で測定した電池電圧の値の低下量が、所定の回数連続で異常検出電圧量以上であるとき、前回測定した電池電圧の値から直近で測定した電池電圧の値の低下量が異常検出電圧量以上である、と制御部２が判断し、異常電圧であると制御部２が判断する。
測定した電池電圧の値が異常電圧である、と制御部２が判断した場合、ステップＳ２１５に移行する。
測定した電池電圧の値が異常電圧でない、と制御部２が判断した場合、ステップＳ２０１に移行する。
【００８０】
次に、警報器１では、電池電圧が異常に早く低下したものとして、異常モードでの動作を開始する（ステップＳ２１５）。
異常モードでは、警報器１は、電池電圧を測定する動作を停止する。
異常モードでは、報知部４は、外部環境の変化を検知して報知するときの態様、低電圧モードのときの態様、または、異常検出モードのときの態様、と異なる態様で報知する。電圧モードでは、報知部４は、例えば５秒毎に音声を発する。
異常モードでは、ランプ部５は、外部環境の変化を検知して報知するときの態様、通常モードのときの態様、低電圧モードのときの態様、または、異常検出モードのときの態様、と異なる態様で点灯する。異常モードでは、ランプ部５は、例えば５０秒間隔で点滅点灯する。異常モードでは、表示部７はディスクの裏面を表示している。
以上のようにして、警報器１では、電池電圧を測定して動作モードを変更する一連の動作を行う。
【００８１】
以上のように、低電圧モードでは、報知部４は外部環境の変化を検知して報知するときの態様、異常検出モードのときの態様、または、異常モードのときの態様、と異なる態様で報知する、警報器１では、測定した電池電圧の値が低電圧値ａ２以下に低下したときに、異常モードのときの態様等と異なる態様で報知部４が報知する。
したがって、警報器１によれば、報知部４による報知が異常モードのとき等のものと誤って認識されることを防止するとともに、電池電圧が低電圧値ａ２以下であることを確実に知らせることができる。
【００８２】
以上のように、低電圧モードではランプ部５は外部環境の変化を検知して報知するときの態様、異常検出モードのときの態様、または、異常モードのときの態様、と異なる態様で報知する、警報器１では、測定した電池電圧の値が低電圧値ａ２以下に低下したときに、異常モードのときの態様等と異なる態様でランプ部５が点灯する。
したがって、警報器１によれば、ランプ部５による点灯が異常モードのとき等のものと誤って認識されることを防止するとともに、電池電圧が低電圧値ａ２以下であることを確実に知らせることができる。
【００８３】
以上のように、異常検出モードでは通常モードまたは低電圧モードと異なる動作態様で電池電圧の異常の有無を検出する警報器１では、例えば、通常モードまたは低電圧モードよりも短い間隔で電池電圧を測定して、電池電圧の異常の有無を検出する。
したがって、警報器１によれば、通常モードまたは低電圧モードのときよりも速やかに電池電圧の異常の有無を検出することができる。
【００８４】
以上のように、通常モードまたは低電圧モードにおいて、測定した電池電圧の値が異常電圧であるときに、異常検出モードに移行する、警報器１では、測定した電池電圧の値が例えば１回でも異常電圧であるときに、通常モードまたは低電圧モードよりも短い間隔で電池電圧を測定して電池電圧の異常の有無を検出する動作を開始する。
したがって、警報器１によれば、測定した電池電圧の値が異常電圧であるときに、速やかに電池電圧の異常の有無を検出する動作を開始することができる。
【００８５】
以上のように、通常モードまたは低電圧モードにおいて、測定した電池電圧の値が異常検出電圧値ａ４未満であるときに異常検出モードに移行する、警報器１では、測定した電池電圧の値が異常検出電圧値ａ４未満であるときに、通常モードまたは低電圧モードよりも短い間隔で電池電圧を測定して電池電圧の異常の有無を検出する動作を開始する。
したがって、警報器１によれば、測定した電池電圧の値が異常検出電圧値ａ４未満（適切電圧値ａ３よりも低く且つ低電圧値ａ２よりも高い値）であるときでも、速やかに電池電圧の異常の有無を検出する動作を開始することができる。
【００８６】
以上のように、通常モードまたは低電圧モードにおいて、前回測定した電池電圧の値から直近で測定した電池電圧の値の低下量が異常検出電圧量以上であるときに異常検出モードに移行する、警報器１では、前回測定した電池電圧の値から直近で測定した電池電圧の値の低下量が異常検出電圧量以上であるときに、通常モードまたは低電圧モードよりも短い間隔で電池電圧を測定して電池電圧の異常の有無を検出する動作を開始する。
したがって、警報器１によれば、前回測定した電池電圧の値から直近で測定した電池電圧の値の低下量が異常検出電圧量以上であるときに、速やかに電池電圧の異常の有無を検出する動作を開始することができる。
【００８７】
以上のように、異常検出モードでは報知部４は外部環境の変化を検知して報知するときの態様、低電圧モードのときの態様、または、異常モードのときの態様、と異なる態様で報知する、警報器１では、通常モードまたは低電圧モードのときよりも速やかに電池電圧の異常の有無を検出するとき（異常検出モードのとき）に、異常モードのときの態様等と異なる態様で報知部４が報知する。
したがって、警報器１によれば、報知部４による報知が異常モードのとき等のものと誤って認識されることを防止するとともに、通常モードまたは低電圧モードのときよりも速やかに電池電圧の異常の有無を検出する状態（電池電圧に異常がある恐れがある状態）であることを確実に知らせることができる。
【００８８】
以上のように、異常検出モードではランプ部５は外部環境の変化を検知して報知するときの態様、低電圧モードのときの態様、または、異常モードのときの態様、と異なる態様で報知する、警報器１では、通常モードまたは低電圧モードのときよりも速やかに電池電圧の異常の有無を検出するとき（異常検出モードのとき）に、異常モードのときの態様等と異なる態様でランプ部５が点灯する。
したがって、警報器１によれば、ランプ部５による点灯が異常モードのとき等のものと誤って認識されることを防止するとともに、通常モードまたは低電圧モードのときよりも速やかに電池電圧の異常の有無を検出する状態（電池電圧に異常がある恐れがある状態）であることを確実に知らせることができる。
【００８９】
以上のように、異常検出モードにおいて、測定した電池電圧の値が所定の回数連続で異常電圧であるときに異常モードに移行する、警報器１では、測定した電池電圧の値が所定回数連続で異常電圧であるときに、異常モードでの動作を開始する。
したがって、警報器１によれば、電池電圧が異常に早く低下したことを確実に検出して、異常モードでの動作を開始することができる。
【００９０】
以上のように、異常検出モードにおいて、前回測定した電池電圧の値から直近で測定した電池電圧の値の低下量が所定の回数連続で異常検出電圧量以上であるときに異常モードに移行する、警報器１では、前回測定した電池電圧の値から直近で測定した電池電圧の値の低下量が所定の回数連続で異常検出電圧量以上であるときに、異常モードでの動作を開始する。
したがって、警報器１によれば、電池電圧が異常に早く低下したことを確実に検出して、異常モードでの動作を開始することができる。
【００９１】
以上のように、通常モード、低電圧モード、または、異常検出モードにおいて、前回測定した電池電圧の値から直近で測定した電池電圧の値の低下量が異常電圧量未満でない（異常電圧量以上である）ときに異常モードに移行する、警報器１では、前回測定した電池電圧の値から直近で測定した電池電圧の値の低下量が異常に多いときに、電池電圧を測定する動作を継続せずに異常モードでの動作を開始する。
したがって、警報器１によれば、前回測定した電池電圧の値から直近で測定した電池電圧の値の低下量が異常に多いときの、警報器１の消費電力を抑制することができる。
【００９２】
以上のように、異常モードでは報知部４は外部環境の変化を検知して報知するときの態様、低電圧モードのときの態様、または、異常検出モードのときの態様、と異なる態様で報知する、警報器１では、測定した電池電圧が異常に早く低下したとき（異常モードのとき）に、異常検出モードのときの態様等と異なる態様で報知部４が報知する。
したがって、警報器１によれば、報知部４による報知が異常検出モードのとき等のものと誤って認識されることを防止するとともに、電池電圧が異常に早く低下した状態であることを確実に知らせることができる。
【００９３】
以上のように、異常モードではランプ部５は外部環境の変化を検知して報知するときの態様、低電圧モードのときの態様、または、異常検出モードのときの態様、と異なる態様で点灯する、警報器１では、測定した電池電圧が異常に早く低下したとき（異常モードのとき）に、異常検出モードのときの態様等と異なる態様でランプ部５が点灯する。
したがって、警報器１によれば、ランプ部５による点灯が異常検出モードのとき等のものと誤って認識されることを防止するとともに、電池電圧が異常に早く低下した状態であることを確実に知らせることができる。
【００９４】
警報器１は、異常検出モードにおいて、電池電圧を測定する動作態様を、測定した電池電圧の値によって異なるように構成することもできる。警報器１は、異常検出モードにおいて、測定した電池電圧の値が異常電圧か否かについて制御部２が判断するとき（ステップＳ２０９またはステップＳ２１４）、電池電圧を測定する間隔、または、異常電圧であると判断されるときの電池電圧を測定する回数（連続回数）について、測定した電池電圧の値によって異なるように構成することもできる。
例えば、ステップＳ２１４において、測定した電池電圧の値が比較的高いときには、電池電圧を測定する間隔を比較的長くし、また、異常電圧であると判断されるときの電池電圧を測定する回数を比較的多くする。このとき、測定した電池電圧の値が例えば２．６Ｖ以上２．７Ｖ未満のときには電池電圧を測定する間隔を例えば３時間毎等にし、または、測定した電池電圧の値が７回連続で異常電圧であるときに異常電圧であると制御部２が判断する。
また例えば、ステップＳ２１４において、測定した電池電圧の値が比較的低いときには、電池電圧を測定する間隔を比較的短くし、また、異常電圧であると判断されるときの電池電圧を測定する回数を比較的少なくする。このとき、測定した電池電圧の値が例えば２．４Ｖ以上２．６Ｖ未満のときには電池電圧を測定する間隔を例えば３０分毎等にし、または、測定した電池電圧の値が３回連続で異常電圧であるときに異常電圧であると制御部２が判断する。
このように構成することによって、異常検出モードにおいて、測定した電池電圧の値によって、速やかに異常モードに移行させ、または、電池電圧が異常に早く低下したことを確実に検出し、または、電池電圧を測定するときの消費電力を抑制することができる。
【００９５】
警報器１では、報知部４は、外部環境の変化を検知したとき、低電圧モードのとき、異常検出モードのとき、または、異常モードのときに、音声を発することに代えて、または、音声と合わせて、外部環境の変化を検知したことに関する情報、低電圧モードで動作を開始したことに関する情報、異常検出モードで動作を開始したことに関する情報、または、異常モードで動作を開始したことに関する情報を、外部に通信する構成とすることもできる。
このように構成することにより、低電圧モードで動作を開始したこと等について、外部（警報器１が設置される場所以外の場所）に知らせることができる。
【００９６】
警報器１は、操作部６を操作することによって、外部環境の変化を検知したとき、低電圧モードのとき、異常検出モードのとき、または、異常モードのときに、報知部４が報知するか否か、または、報知部４の報知態様（例えば、報知部４が外部へ通信するときの通信先）等について設定可能に構成することもできる。
このように構成することにより、操作部６の簡易な操作で報知部４による報知が行われない状態とすることができ、または、報知部４による報知態様を所望のものにすることができる。
【００９７】
警報器１は、操作部６を操作することによって、外部環境の変化を検知したとき、低電圧モードのとき、異常検出モードのとき、または、異常モードのときに、ランプ部５が点灯するか否か、または、ランプ部５の点灯態様等について設定可能に構成することもできる。また、警報器１は、操作部６を操作することによって、外部環境の変化を検知したとき、低電圧モードのとき、異常検出モードのとき、または、異常モードのときに、表示部７の表示態様等について設定可能に構成することもできる。
このように構成することにより、操作部６の簡易な操作でランプ部５による点灯が行われない状態とすることができ、または、ランプ部５による点灯態様または表示部７による表示態様を所望のものにすることができる。
【００９８】
警報器１は、低電圧モードのとき、異常検出モードのとき、または、異常モードのときに、操作部６を操作することによって、低電圧モード等から通常モードに移行する構成とすることもできる。
このように構成することにより、通常モードではない状態（低電圧モード等の状態）に気付いた人が操作部６を操作することによって、電池交換やメンテナンス作業等を通常モードの状態で行うことができる。
【００９９】
警報器１は、操作部６を操作することによって、電池電圧を測定する動作態様（低電圧モードに移行するとき、異常検出モードに移行するとき、または、異常モードに移行するときの、電池電圧を測定する回数、または、電池電圧を測定する間隔等）を変更可能に構成することもできる。
このように構成することにより、操作部６の簡易な操作で電池電圧を測定する動作態様を所望のものにすることができる。
【０１００】
警報器１は、自動的に電池電圧を測定することに代えて操作部６を操作することによって電池電圧を測定する構成とすること、または、自動的に電池電圧を測定することと合わせて操作部６を操作することによって電池電圧を測定する構成とすることもできる。
例えば、警報器１は、通常モードのときのみ操作部６を操作することによって電池電圧を測定する構成とする。このとき、報知部４は、異常検出モードに移行して自動的に電池電圧の検出を行う旨の音声（例えば「異常電圧の可能性があるので確認します。」）を発し、異常検出モードに移行する。
また例えば、警報器１は、通常モードおよび異常検出モードで操作部６を操作することによって電池電圧を測定する構成とする。このとき、異常検出モードに移行して操作部６を操作することによって電池電圧の検出を行わせる旨の音声（例えば「異常電圧の可能性があるので確認してください。」）を発し、作業者が、通常モードまたは低電圧モードと異なる動作態様（短い測定間隔）で電池電圧を測定する。
また、報知部４は、電池電圧の測定直後（操作部が操作された直後）、または、次回電池電圧を測定した直後等に、電池電圧の測定結果を音声で発する構成とすることもできる。
【０１０１】
図９に示すように、警報器１では、測定した電池電圧の値が適切電圧値ａ３未満か否かについて制御部２が判断する動作（ステップＳ２０２）を含まない構成とすることもできる。このような構成では、ステップＳ２０１において通常モードで動作を開始した後、ステップＳ２０３に移行する。このように構成することにより、より簡易な制御で動作モードを変更する動作を行うことができる。
【０１０２】
図１０に示すように、警報器１では、通常モード、低電圧モード、または、異常検出モードにおいて、前回測定した電池電圧の値から直近で測定した電池電圧の値の低下量が異常電圧量未満か否かについて、制御部２が判断する動作（ステップＳ２０５、ステップＳ２０８、ステップＳ２１０、ステップＳ２１３）を含まない構成とすることもできる。このような構成では、ステップＳ２０４において低電圧モードでの動作を開始した後ステップＳ２０６に移行し、ステップＳ２０７において異常検出モードでの動作を開始した後ステップＳ２０９に移行し、ステップＳ２０３において測定した電圧値が低電圧値ａ２以下でないと制御部２が判断した後ステップＳ２１１に移行し、ステップＳ２１３において異常検出モードでの動作を開始した後ステップＳ２１４に移行する。このように構成することにより、より簡易な制御で動作モードを変更する動作を行うことができる。
【０１０３】
図１１に示すように、警報器１では、低電圧モードにおいて、電池電圧を測定する動作（ステップＳ２０５、ステップＳ２０６、ステップＳ２０７、ステップＳ２０８、ステップＳ２０９）を含まない構成とすることもできる。このような構成では、ステップＳ２０４において低電圧モードでの動作を開始した後、電池電圧を測定する動作を行わずに低電圧モードでの報知部４による報知動作またはランプ部５による点灯動作が継続される。このように構成することにより、より簡易な制御で動作モードを変更する動作を行うことができ、または、電池電圧の値が低電圧値ａ２以下に低下したときの警報器１の消費電力を抑制することができる。
またこのとき、ステップＳ２０４において低電圧モードでの動作を開始した後、電池電圧を測定する動作を行わず、報知部４による報知動作またはランプ部５による点灯動作も行わない構成とすることもできる。このように構成することにより、電池電圧の値が低電圧値ａ２以下に低下したときの警報器１の消費電力をさらに抑制することができる。
またこのとき、警報器１は、低電圧モードでは、自動的に電池電圧の測定を行わないが、操作部６を操作することによって電池電圧を測定する構成とすることもできる。
【０１０４】
図２または図１２に示すように、警報器１では、電池電圧の値が終止電圧値ａ５以下に低下したときに、動作を停止する構成とすることもできる。
このように構成される警報器１では、ステップＳ２０３において、測定した電池電圧の値が低電圧値ａ２以下である、と制御部２が判断した場合、ステップＳ２１６に移行する。そして、測定した電池電圧の値が終止電圧値ａ５以下か否かについて、制御部２が判断する（ステップＳ２１６）。このとき、測定した電池電圧の値が所定の回数連続（例えば５回連続）で終止電圧値ａ５以下か否かについて、制御部２が判断する。測定した電池電圧の値が所定の回数連続で終止電圧値ａ５以下でないとき、測定した電池電圧の値が終止電圧値ａ５以下でない、と制御部２が判断する。
測定した電池電圧の値が終止電圧値ａ５以下である、と制御部２が判断した場合、ステップＳ２１７に移行する。
測定した電池電圧の値が終止電圧値ａ５以下でない、と制御部２が判断した場合、ステップＳ２０４に移行する。
次に、警報器１では、その動作を停止する（ステップＳ２１７）。このとき、表示部７は、電源がＯＦＦされたものとしてディスクの表面を表示する。警報器１の動作の停止とは、例えば、電池電圧を測定する動作の停止、センサ部３の外部環境の変化を検知する動作の停止、報知部４による報知動作の停止、ランプ部５の点灯動作の停止、または、表示部７表示動作の停止（表示部７のディスクの表面を表示）等のうち、少なくとも二個の動作が停止した状態を示す。警報器１では、前記少なくとも二個の動作が停止した状態について、予め設定される構成とすることもでき、または、操作部６を操作することによって設定可能に構成することもできる。
【０１０５】
警報器１は、操作部６を操作することによって、測定した電池電圧の値が適切電圧値ａ３未満か否かについて制御部２が判断する動作（ステップＳ２０２）を行わない、通常モード等において前回測定した電池電圧の値から直近で測定した電池電圧の値の低下量が異常電圧量未満か否かについて制御部２が判断する動作（ステップＳ２０５、ステップＳ２０８、ステップＳ２１０、ステップＳ２１３）を行わない、低電圧モードにおいて電池電圧を測定する動作（ステップＳ２０５、ステップＳ２０６、ステップＳ２０７、ステップＳ２０８、ステップＳ２０９）を行わない、または、測定した電池電圧の値が終止電圧値ａ５以下か否かについて制御部２が判断する動作（ステップＳ２１６）を行わない等について設定可能に構成することもできる。このように構成することにより、操作部６の簡易な操作で、警報器１の電池電圧の測定する動作態様等を所望のものにすることができる。
【０１０６】
警報器１は、低電圧モード、異常モード、異常検出モードにおいて、電源がＯＦＦされたものとして表示部７のディスクの表面を表示する構成とすることもできる。
また、警報器１は、表示部７を備えない構成とすることもできる。このとき、ランプ部５は、低電圧モード、異常モード、または、異常検出モードにおける点灯態様と異なる態様で、電源がＯＮされたときに点灯（例えば、連続点灯）する構成とすることもできる。
【符号の説明】
【０１０７】
１    警報器
２    制御部
３    センサ部
４    報知部
５    ランプ部
６    操作具
１０  電池
【図１】
0006500265.tif 000002
【図２】
0006500265.tif 000003
【図３】
0006500265.tif 000004
【図４】
0006500265.tif 000005
【図５】
0006500265.tif 000006
【図６】
0006500265.tif 000007
【図７】
0006500265.tif 000008
【図８】
0006500265.tif 000009
【図９】
0006500265.tif 000010
【図１０】
0006500265.tif 000011
【図１１】
0006500265.tif 000012
【図１２】
0006500265.tif 000013